(57)【要約】【課題】連携方式の場合は勿論、非連携方式の場合でもコンソール上でプレビュー画像を上端からワイプ表示させることが可能な放射線画像撮影装置を提供する。【解決手段】放射線画像撮影装置１の制御手段２２は、複数の放射線検出素子７が二次元状に配列された検出部Ｐの一端側から他端側に向けてＮ本おきに走査線５の各ラインＬ１〜Ｌｘにオン電圧を順次印加する動作を巡目ごとに繰り返して画像データＤを読み出す処理を行わせるとともに、画像データＤの読み出し処理において、各巡目で読み出される画像データＤのうち、巡目の最初にオン電圧が印加される走査線５が検出部Ｐの一端側の１本目からＮ＋１本目のいずれかの走査線５である巡目で読み出された画像データＤを、プレビュー画像用の画像データＤpreとして読み出しと同時にコンソール５８に転送する。【選択図】図７
2017217171.tif 000002
【特許請求の範囲】
【請求項１】
複数の走査線および複数の信号線と、
二次元状に配列された複数の放射線検出素子と、
前記各走査線に印加する電圧をオン電圧とオフ電圧との間で切り替える走査駆動手段と、
前記各走査線に接続され、オフ電圧が印加されると前記放射線検出素子内に電荷を蓄積させ、オン電圧が印加されると前記放射線検出素子に蓄積された電荷を前記信号線に放出させるスイッチ素子と、
複数の前記放射線検出素子が二次元状に配列された検出部のうち画像データを読み出す領域の一端側から他端側に向けて、Ｎ本（Ｎは１以上の整数）おきに前記走査線にオン電圧を順次印加して前記画像データを読み出す処理を、オン電圧を印加する前記走査線をずらしながら各巡目ごとに行って前記領域の全ての前記放射線検出素子から前記画像データを読み出させるように制御する制御手段と、
外部と通信を行うための通信手段と、
を備え、
前記制御手段は、前記画像データの読み出し処理において、各巡目で読み出される前記画像データのうち、巡目の最初にオン電圧が印加される前記走査線が前記領域の前記一端側の１本目からＮ＋１本目のいずれかの前記走査線である巡目で読み出された前記画像データを、プレビュー画像用の画像データとして読み出しと同時に転送することを特徴とする放射線画像撮影装置。
【請求項２】
前記制御手段は、
放射線照射装置からの放射線の照射開始を検出するように構成されており、
前記画像データの読み出し処理において最初にオン電圧が印加された前記走査線が前記領域の前記一端側の１本目からＮ＋１本目のいずれかの前記走査線である場合には、１巡目で読み出された前記画像データを、プレビュー画像用の画像データとして読み出しと同時に転送し、
前記画像データの読み出し処理において最初にオン電圧が印加された前記走査線が前記領域の前記一端側の１本目からＮ＋１本目のいずれの前記走査線でもない場合には、２巡目で読み出された前記画像データを前記プレビュー画像用の画像データとして読み出しと同時に転送することを特徴とする請求項１に記載の放射線画像撮影装置。
【請求項３】
前記制御手段は、２巡目で読み出された前記画像データを前記プレビュー画像用の画像データとして読み出しと同時に転送する場合には、１巡目で読み出された前記画像データを記憶手段に保存しておき、前記プレビュー画像用の画像データを転送した後で、他の前記画像データとともに転送することを特徴とする請求項２に記載の放射線画像撮影装置。
【請求項４】
前記制御手段は、
放射線照射装置と連携して撮影を行うように構成されており、
前記画像データの読み出し処理において１巡目で読み出された前記画像データを前記プレビュー画像用の画像データとして読み出しと同時に転送することを特徴とする請求項１に記載の放射線画像撮影装置。
【請求項５】
前記制御手段は、前記画像データを前記プレビュー画像用の画像データとして読み出しと同時に転送した巡目に続く所定回数分の巡目で読み出された画像データも、前記プレビュー画像用の画像データとして読み出しと同時に転送することを特徴とする請求項１から請求項４のいずれか一項に記載の放射線画像撮影装置。
【請求項６】
前記制御手段は、前記プレビュー画像用の画像データを転送する際、前記プレビュー画像用の画像データからオフセットデータを減算して補正したプレビュー画像用の画像データを転送することを特徴とする請求項１から請求項５のいずれか一項に記載の放射線画像撮影装置。
【請求項７】
複数の走査線および複数の信号線と、
二次元状に配列された複数の放射線検出素子と、
前記各走査線に印加する電圧をオン電圧とオフ電圧との間で切り替える走査駆動手段と、
前記各走査線に接続され、オフ電圧が印加されると前記放射線検出素子内に電荷を蓄積させ、オン電圧が印加されると前記放射線検出素子に蓄積された電荷を前記信号線に放出させるスイッチ素子と、
複数の前記放射線検出素子が二次元状に配列された検出部のうち画像データを読み出す領域の一端側から他端側に向けて、Ｎ本（Ｎは１以上の整数）おきに前記走査線にオン電圧を順次印加して前記画像データを読み出す処理を、オン電圧を印加する前記走査線をずらしながら各巡目ごとに行って前記領域の全ての前記放射線検出素子から前記画像データを読み出させるように制御する制御手段と、
外部と通信を行うための通信手段と、
を備える放射線画像撮影装置と、
前記放射線画像撮影装置から転送されてきたプレビュー画像用の画像データに基づいてプレビュー画像を生成して表示するコンソールと、
を備え、
前記放射線画像撮影装置の前記制御手段は、前記画像データの読み出し処理で前記画像データを読み出すと同時に前記コンソールに転送し、
前記コンソールは、前記放射線画像撮影装置において、各巡目で読み出された前記画像データのうち、巡目の最初にオン電圧が印加される前記走査線が前記領域の前記一端側の１本目からＮ＋１本目のいずれかの前記走査線である巡目で読み出された前記画像データを、前記プレビュー画像用の画像データとして前記プレビュー画像を生成して表示することを特徴とする放射線画像撮影システム。
【請求項８】
前記コンソールは、前記プレビュー画像を生成して表示するとともに、前記プレビュー画像用の画像データと残りの前記画像データとに基づいて放射線画像を生成することを特徴とする請求項７に記載の放射線画像撮影システム。
【発明の詳細な説明】
【技術分野】
【０００１】
本発明は、放射線画像撮影装置および放射線画像撮影システムに係り、特にコンソール上にプレビュー画像を表示させる放射線画像撮影装置および放射線画像撮影システムに関する。
【背景技術】
【０００２】
照射された放射線の線量に応じて放射線検出素子７（後述する図２参照）で電荷を発生させ、発生した電荷を画像データとして読み出す放射線画像撮影装置が種々開発されている。このタイプの放射線画像撮影装置はＦＰＤ（Flat Panel Detector）として知られている。そして、従来は、支持台等と一体的に形成された、いわゆる専用機型（固定型等ともいう。）として構成されていたが、近年、放射線検出素子等を筐体内に収納し、持ち運び可能とした可搬型（カセッテ型等ともいう。）の放射線画像撮影装置も開発されている。
【０００３】
このような放射線画像撮影装置を用いて撮影を行う場合、放射線を照射する放射線照射装置と放射線画像撮影装置との間で信号等のやり取りを行い放射線照射装置と連携して撮影を行うように構成される場合がある（以下、この場合を連携方式という。）。この場合、放射線技師等が放射線を照射させるために放射線照射装置の曝射スイッチ（後述する図３や図４の曝射スイッチ５６参照）を操作すると、放射線照射装置から放射線画像撮影装置に照射開始信号が送信される。
【０００４】
放射線画像撮影装置は、撮影時に、例えば図１０に示すように、走査駆動手段１５（後述する図２参照）から走査線５の各ラインＬ１〜Ｌｘにオン電圧を順次印加して、各放射線検出素子７内に残存する電荷を除去する放射線検出素子７のリセット処理を行う。そして、上記のように放射線照射装置から照射開始信号を受信すると、放射線検出素子７のリセット処理を停止させ、走査駆動手段１５から走査線５の各ラインＬ１〜Ｌｘにオフ電圧を印加して電荷蓄積状態に移行する。
【０００５】
放射線画像撮影装置は、電荷蓄積状態への移行と同時に、放射線照射装置にインターロック解除信号を送信する。そして、放射線照射装置は、このインターロック解除信号を受信すると、放射線画像撮影装置に対して放射線を照射する。なお、図１０の斜線は放射線が照射される期間を表す。そして、放射線画像撮影装置は、走査駆動手段１５から走査線５の各ラインＬ１〜Ｌｘにオン電圧を順次印加して各放射線検出素子７からの画像データＤの読み出し処理を行うように構成される。
【０００６】
一方、上記の放射線画像撮影装置を用いて撮影を行う場合、放射線照射装置との間で信号等のやり取りを行わず、いわば非連携の状態で撮影に用いられる場合もある（以下、この場合を非連携方式という。）。
【０００７】
非連携方式で撮影が行われる場合、放射線画像撮影装置は、通常、放射線照射装置からの放射線の照射開始を自ら検出するように構成される。そして、非連携方式の場合、放射線照射装置からの放射線の照射開始を待つ間に、各放射線検出素子７内に暗電荷（暗電流等ともいう。）が蓄積されてしまうことを防止するために、例えば図１１に示すように、走査駆動手段１５から走査線５の各ラインＬ１〜Ｌｘにオン電圧を順次印加して、放射線検出素子７のリセット処理（或いはリセット処理を兼ねた各放射線検出素子７からの画像データＤ等の読み出し処理。以下同じ。）が行われる場合が多い。
【０００８】
そして、放射線画像撮影装置では、放射線の照射開始を検出するとその時点で放射線検出素子７のリセット処理を停止して、走査駆動手段１５から走査線５の各ラインＬ１〜Ｌｘにオフ電圧を印加して電荷蓄積状態に移行する。そして、その後、走査駆動手段１５から走査線５の各ラインＬ１〜Ｌｘにオン電圧を順次印加して各放射線検出素子７からの画像データＤの読み出し処理を行うように構成される。
【０００９】
その際、図１１に示すように、放射線検出素子７のリセット処理で最後にオン電圧を印加した走査線５（図１１ではラインＬ４の走査線５）の次の走査線５（図１１ではラインＬ５の走査線５）からオン電圧の印加を開始して画像データＤの読み出し処理を行うように構成される場合がある。
【００１０】
一方、上記のようにして放射線画像撮影装置を用いて撮影した画像を放射線技師等がチェックして再撮影の要否等を判断するために、コンソール上にプレビュー画像を表示するように構成される場合がある。この場合、例えば、上記のようにして放射線画像撮影装置で読み出した画像データＤをコンソールにそのまま転送したのでは画像データＤの転送に時間がかかりコンソール上にプレビュー画像が表示されるまでに時間がかかってしまう。
【００１１】
そのため、放射線画像撮影装置で読み出した画像データＤの中から所定の割合で画像データＤ（以下、プレビュー画像用の画像データＤpreという。）を抽出してコンソールに転送し、コンソールでプレビュー画像用の画像データＤpreに基づいてプレビュー画像を生成して表示するように構成される場合が多い（例えば特許文献１等参照）。
【００１２】
その際、図１２に示すように、放射線画像撮影装置で二次元状に配列された各放射線検出素子７のうち、ｎ行、ｍ列目の放射線検出素子７（ｎ，ｍ）から読み出された画像データＤをＤ（ｎ，ｍ）で表すとき、読み出した画像データＤ（ｎ，ｍ）の中から、例えば、図中に斜線を付して示すように所定本数（以下、Ｎ本とする。なお、Ｎは１以上の整数。図１２の場合はＮ＝３）おきに走査線５に接続されている各放射線検出素子７から読み出された画像データＤ（ｎ，ｍ）を選び出して、プレビュー画像用の画像データＤpreとして抽出してコンソールに転送するように構成することが可能である（例えば特許文献２等参照）。
【先行技術文献】
【特許文献】
【００１３】
【特許文献１】特開２０１２−１５２４７７号公報
【特許文献２】特開２０１３−２２６３３２号公報
【発明の概要】
【発明が解決しようとする課題】
【００１４】
しかしながら、上記のプレビュー画像用の画像データＤpreの抽出方法を非連携方式で撮影された画像データＤに適用すると、非連携方式では画像データＤの読み出し処理が、走査線５の最初のラインＬ１からではなく、図１１に示したように走査線５の途中のラインＬ（図１１の場合はラインＬ５）から開始される。
【００１５】
そして、そのようにして読み出された画像データＤの中からＮ本おきに走査線５に接続されている各放射線検出素子７から読み出された画像データＤがプレビュー画像用の画像データＤpreとして読み出されると同時にコンソールに転送されると、コンソールでは、生成されたプレビュー画像ｐpreが、図１３（Ａ）に示すようにその途中からワイプ表示が始まって下端までワイプ表示された後、図１３（Ｂ）に示すように上端からワイプ表示が再開される状態になる。
【００１６】
しかし、これでは、プレビュー画像ｐpreが見づらくなる。また、プレビュー画像ｐpreの表示が途中から始まるため、プレビュー画像ｐpreを見て確認作業を行う放射線技師等に違和感を与えてしまう可能性がある。
【００１７】
本発明は、上記の問題点を鑑みてなされたものであり、画像データＤの読み出し処理が走査線５の最初のラインＬ１から行われる連携方式の場合は勿論、画像データＤの読み出し処理が走査線５の途中のラインＬから行われることが多い非連携方式の場合でも、コンソール上でプレビュー画像ｐpreを上端からワイプ表示させることが可能な放射線画像撮影装置や放射線画像撮影システムを提供することを目的とする。
【課題を解決するための手段】
【００１８】
前記の問題を解決するために、本発明の放射線画像撮影装置は、
複数の走査線および複数の信号線と、
二次元状に配列された複数の放射線検出素子と、
前記各走査線に印加する電圧をオン電圧とオフ電圧との間で切り替える走査駆動手段と、
前記各走査線に接続され、オフ電圧が印加されると前記放射線検出素子内に電荷を蓄積させ、オン電圧が印加されると前記放射線検出素子に蓄積された電荷を前記信号線に放出させるスイッチ素子と、
複数の前記放射線検出素子が二次元状に配列された検出部のうち画像データを読み出す領域の一端側から他端側に向けて、Ｎ本（Ｎは１以上の整数）おきに前記走査線にオン電圧を順次印加して前記画像データを読み出す処理を、オン電圧を印加する前記走査線をずらしながら各巡目ごとに行って前記領域の全ての前記放射線検出素子から前記画像データを読み出させるように制御する制御手段と、
外部と通信を行うための通信手段と、
を備え、
前記制御手段は、前記画像データの読み出し処理において、各巡目で読み出される前記画像データのうち、巡目の最初にオン電圧が印加される前記走査線が前記領域の前記一端側の１本目からＮ＋１本目のいずれかの前記走査線である巡目で読み出された前記画像データを、プレビュー画像用の画像データとして読み出しと同時に転送することを特徴とする。
【００１９】
また、本発明の放射線画像撮影システムは、
複数の走査線および複数の信号線と、
二次元状に配列された複数の放射線検出素子と、
前記各走査線に印加する電圧をオン電圧とオフ電圧との間で切り替える走査駆動手段と、
前記各走査線に接続され、オフ電圧が印加されると前記放射線検出素子内に電荷を蓄積させ、オン電圧が印加されると前記放射線検出素子に蓄積された電荷を前記信号線に放出させるスイッチ素子と、
複数の前記放射線検出素子が二次元状に配列された検出部のうち画像データを読み出す領域の一端側から他端側に向けて、Ｎ本（Ｎは１以上の整数）おきに前記走査線にオン電圧を順次印加して前記画像データを読み出す処理を、オン電圧を印加する前記走査線をずらしながら各巡目ごとに行って前記領域の全ての前記放射線検出素子から前記画像データを読み出させるように制御する制御手段と、
外部と通信を行うための通信手段と、
を備える放射線画像撮影装置と、
前記放射線画像撮影装置から転送されてきたプレビュー画像用の画像データに基づいてプレビュー画像を生成して表示するコンソールと、
を備え、
前記放射線画像撮影装置の前記制御手段は、前記画像データの読み出し処理で前記画像データを読み出すと同時に前記コンソールに転送し、
前記コンソールは、前記放射線画像撮影装置において、各巡目で読み出された前記画像データのうち、巡目の最初にオン電圧が印加される前記走査線が前記領域の前記一端側の１本目からＮ＋１本目のいずれかの前記走査線である巡目で読み出された前記画像データを、前記プレビュー画像用の画像データとして前記プレビュー画像を生成して表示することを特徴とする。
【発明の効果】
【００２０】
本発明のような方式の放射線画像撮影装置および放射線画像撮影システムによれば、画像データＤの読み出し処理が走査線５の最初のラインＬ１から行われる連携方式の場合は勿論、画像データＤの読み出し処理が走査線５の途中のラインＬから行われることが多い非連携方式の場合でも、コンソール上でプレビュー画像ｐpreを上端からワイプ表示させることが可能となる。
【図面の簡単な説明】
【００２１】
【図１】本実施形態に係る放射線画像撮影装置の外観を示す斜視図である。
【図２】放射線画像撮影装置の等価回路を表すブロック図である。
【図３】本実施形態に係る放射線画像撮影システムの構成例を表す図である。
【図４】本実施形態に係る放射線画像撮影システムの別の構成例を表す図である。
【図５】携帯端末型のコンソールの構成例を表す図である。
【図６】画像データの読み出し処理において各巡目ごとに３本おきに走査線にオン電圧を順次印加する状態を表す図である。
【図７】非連携方式の場合に１巡目の読み出し処理で走査線の途中のラインＬｎからオン電圧の印加が開始される状態を表す図である。
【図８】（Ａ）、（Ｂ）本実施形態ではプレビュー画像がその上端からワイプ表示されることを表す図である。
【図９】画像データの読み出し処理において特殊なオン電圧の印加の仕方で走査線にオン電圧が順次印加された場合の例を表す図である。
【図１０】撮影が連携方式で行われる従来の場合に各走査線にオン電圧を印加するタイミング等を説明するタイミングチャートである。
【図１１】撮影が非連携方式で行われる従来の場合に各走査線にオン電圧を印加するタイミング等を説明するタイミングチャートである。
【図１２】画像データの中からプレビュー画像用の画像データを抽出する仕方の一例を説明する図である。
【図１３】プレビュー画像のワイプ表示が（Ａ）途中から始まる状態、（Ｂ）上端から再開される状態を表す図である。
【発明を実施するための形態】
【００２２】
以下、本発明に係る放射線画像撮影装置および放射線画像撮影システムの実施の形態について、図面を参照して説明する。
【００２３】
なお、以下では、放射線画像撮影装置として、シンチレーター等を備え、照射された放射線をシンチレーターで可視光等の他の波長の光に変換して放射線検出素子で画像データを得るいわゆる間接型の放射線画像撮影装置について説明するが、本発明は、シンチレーター等を介さずに放射線を放射線検出素子で直接検出する、いわゆる直接型の放射線画像撮影装置に対しても適用することも可能である。
【００２４】
［放射線画像撮影装置］
図１は、本実施形態に係る放射線画像撮影装置の外観を示す斜視図であり、図２は、放射線画像撮影装置の等価回路を表すブロック図である。放射線画像撮影装置１は、図示しないセンサー基板上に二次元状（マトリクス状）に配列された複数の放射線検出素子７（図２参照）が筐体２（図１参照）内に収納されて形成されている。
【００２５】
そして、図１に示すように、放射線画像撮影装置１の筐体２の一方の側面には、電源スイッチ２５や切替スイッチ２６、コネクター２７、インジケーター２８等が配置されている。また、図示を省略するが、筐体２の反対側の側面には、外部と無線方式で通信を行うためのアンテナ２９（後述する図２参照）が設けられている。
【００２６】
図２に示すように、本実施形態では、複数の放射線検出素子７が二次元状に配列された領域が検出部Ｐとされている。そして、各放射線検出素子７には、バイアス線９が接続されており、バイアス線９やそれらの結線１０を介してバイアス電源１４から逆バイアス電圧が印加される。また、各放射線検出素子７には、スイッチ素子としてＴＦＴ（Thin Film Transistor）８が接続されており、ＴＦＴ８は信号線６に接続されている。そして、各放射線検出素子７では、照射された放射線の線量に応じた電荷が各放射線検出素子７内でそれぞれ発生するようになっている。
【００２７】
また、走査駆動手段１５では、配線１５ｃを介して電源回路１５ａから供給されたオン電圧とオフ電圧がゲートドライバー１５ｂで切り替えられて走査線５の各ラインＬ１〜Ｌｘに印加される。そして、各ＴＦＴ８は、走査線５を介してオフ電圧が印加されるとオフ状態になり、放射線検出素子７と信号線６との導通を遮断して、電荷を放射線検出素子７内に蓄積させる。また、走査線５を介してオン電圧が印加されるとオン状態になり、放射線検出素子７内に蓄積された電荷を信号線６に放出させる。
【００２８】
各信号線６は、読み出しＩＣ１６内の各読み出し回路１７にそれぞれ接続されている。そして、画像データＤの読み出し処理の際には、ゲートドライバー１５ｂから走査線５の各ラインＬ１〜Ｌｘにオン電圧が順次印加される。そして、ＴＦＴ８がオン状態になると、放射線検出素子７から電荷がＴＦＴ８や信号線６を介して読み出し回路１７に流れ込み、増幅回路１８で、流れ込んだ電荷の量に応じた電圧値が出力される。
【００２９】
相関二重サンプリング回路（図２では「ＣＤＳ」と記載されている。）１９は、増幅回路１８から出力された電圧値をアナログ値の画像データＤとして読み出して出力し、出力された画像データＤはアナログマルチプレクサー２１を介してＡ／Ｄ変換器２０に順次送信され、Ａ／Ｄ変換器２０でデジタル値の画像データＤに順次変換されて記憶手段２３に順次保存されるようになっている。
【００３０】
制御手段２２は、図示しないＣＰＵ（Central Processing Unit）やＲＯＭ（Read Only Memory）、ＲＡＭ（Random Access Memory）、入出力インターフェース等がバスに接続されたコンピューターや、ＦＰＧＡ（Field Programmable Gate Array）等で構成されている。専用の制御回路で構成されていてもよい。
【００３１】
また、制御手段２２には、ＳＲＡＭ（Static ＲＡＭ）やＳＤＲＡＭ（Synchronous ＤＲＡＭ）、ＮＡＮＤ型フラッシュメモリー等で構成される記憶手段２３や内蔵電源２４が接続されており、また、前述したアンテナ２９やコネクター２７を介して外部と無線方式や有線方式で通信を行うための通信部３０が接続されている。
【００３２】
そして、制御手段２２は、走査駆動手段１５の動作を制御して放射線検出素子７のリセット処理を行わせたり、走査駆動手段１５のゲートドライバー１５ｂから走査線５の各ラインＬ１〜Ｌｘを介して各ＴＦＴ８にオフ電圧を印加して電荷蓄積状態に移行させたり、走査駆動手段１５や読み出し回路１７等の動作を制御して各放射線検出素子７からの画像データＤの読み出し処理を行わせる等の制御を行うようになっている。
【００３３】
また、本実施形態では、制御手段２２は、上記のようにして読み出した画像データＤの一部を記憶手段２３に保存すると同時に、通信部３０にアンテナ２９やコネクター２７を介して無線方式や有線方式で後述するコンソール５８に転送させるようになっているが、この点については、放射線画像撮影システム１００について説明した後で説明する。
【００３４】
［放射線画像撮影システムについて］
次に、本実施形態に係る放射線画像撮影システムについて説明する。放射線画像撮影システム１００は、例えば図３に示すように撮影室Ｒａ内や前室Ｒｂ内に構成することも可能であり、また、図４に示すように、回診車７０に搭載する等して構成することも可能である。
【００３５】
例えば図３に示すように、放射線画像撮影システム１００が撮影室Ｒａ内等に構成される場合、放射線画像撮影装置１は、撮影台５１（立位撮影用の撮影台５１Ａや臥位撮影用の撮影台５１Ｂ）のカセッテホルダー５１ａに装填されて撮影に用いられる。また、例えば、放射線画像撮影装置１を臥位撮影用の撮影台５１Ｂの天板上に横臥した図示しない被写体と天板との間に差し込む等して配置することも可能である。
【００３６】
撮影室Ｒａには、放射線を照射する放射線照射装置５２が少なくとも１つ設けられている。また、撮影室Ｒａには、撮影室Ｒａ内の各装置等や撮影室Ｒａ外の各装置等の間の無線方式や有線方式での通信等を中継するためのアクセスポイント５３を備えた中継器５４が設けられている。中継器５４は、放射線画像撮影装置１とコンソール５８との間の通信を中継するようになっている。
【００３７】
また、前述した連携方式で撮影を行う場合には、中継器５４に、コンソール５８のほかに放射線照射装置５２のジェネレーター５５も接続され、中継器５４を介して放射線画像撮影装置１と放射線照射装置５２のジェネレーター５５との間で信号のやり取りを行って撮影が行われる場合もある。
【００３８】
放射線照射装置５２のジェネレーター５５は、放射線技師等の操作者により管電圧や管電流、照射時間（或いはｍＡｓ値）等が設定されると、放射線照射装置５２から、設定された管電圧等に応じた線量の放射線を照射させるなど、放射線照射装置５２に対して種々の制御を行うようになっている。
【００３９】
前室（操作室等ともいう。）Ｒｂには、放射線照射装置５２の操作卓５７が設けられており、操作卓５７には、放射線技師等の操作者が操作してジェネレーター５５に対して放射線の照射開始等を指示するための曝射スイッチ５６が設けられている。また、前室Ｒｂには、コンピューター等で構成されたコンソール５８が設置されている。なお、コンソール５８を撮影室Ｒａや前室Ｒｂの外側や別室等に設けるように構成することも可能である。
【００４０】
コンソール５８には、ＣＲＴ（Cathode Ray Tube）やＬＣＤ（Liquid Crystal Display）等で構成される表示部５８ａが設けられており、マウスやキーボード等の入力手段５８ｂが接続されている。また、コンソール５８には、ＨＤＤ（Hard Disk Drive）等で構成された記憶手段５８ｃが接続され、或いは内蔵されている。
【００４１】
一方、前述したように、図４に示すように、放射線照射装置５２やコンソール５８等を回診車７０に搭載する等して放射線画像撮影システム１００を構成し、回診車７０を病室Ｒ１等に持ち込んで撮影を行うように構成することも可能である。なお、図示を省略するが、この場合、放射線照射装置５２のジェネレーター５５や中継器５４等は、回診車７０の本体部内に収納されている。
【００４２】
そして、この場合、放射線画像撮影装置１は、図４に示すようにベッドＢｅと被写体Ｈである患者との間に差し込まれたり、或いは患者の身体にあてがわれるようにして撮影に用いられる。そして、この場合も、放射線技師等の操作者が曝射スイッチ５６を操作することで放射線照射装置５２から放射線が照射されて撮影が行われる。
【００４３】
なお、コンソール５８を、図３や図４に示したようなデスクトップ型やノート型のコンピューターで構成することも可能であるが、例えば図５に示すように、放射線技師等の操作者に携帯端末型のコンソール５８を携帯させるように構成することも可能である。
【００４４】
［放射線画像撮影装置での放射線の照射開始の検出処理について］
本実施形態では、放射線画像撮影装置１は、前述した非連携方式、すなわち放射線画像撮影装置１と放射線照射装置５２との間で信号等のやり取りを行わずに非連携の状態で撮影が行われるようになっている。そのため、放射線画像撮影装置１は、放射線照射装置５２からの放射線の照射開始を自ら（すなわち放射線照射装置５２等から照射開始の情報等をもらわずに）検出するようになっている。
【００４５】
放射線画像撮影装置１自体で放射線の照射開始を検出する方法としては、種々の方法が知られているが、例えば、放射線の照射が開始されると、バイアス線９や結線１０（図２参照）を流れる電流Ｉが増加したり（特開２００９−２１９５３８号公報等参照）、ＴＦＴ８を介して放射線検出素子７からリークする電荷が増加したり（国際公開第２０１１／１３５９１７号等参照）、或いは放射線検出素子７から読み出される画像データＤの値が増加するため（国際公開第２０１１／１５２０９３号等参照）、それらに基づいて放射線の照射開始を検出するように構成することが可能である。詳しくは各公報等を参照されたい。
【００４６】
［放射線画像撮影装置での画像データの読み出し処理や画像データの転送の仕方等について］
次に、本実施形態に係る放射線画像撮影装置１における画像データＤの読み出し処理や画像データＤの転送の仕方等について説明する。また、本実施形態に係る放射線画像撮影装置１の作用についてもあわせて説明する。
【００４７】
前述した図１２では、各放射線検出素子７（ｎ，ｍ）から読み出されて記憶手段２３に保存された画像データＤ（ｎ，ｍ）の中から、Ｎ本（Ｎは１以上の整数。以下同じ。）おきに走査線５に接続されている各放射線検出素子７から読み出された画像データＤ（ｎ，ｍ）を抽出する場合について説明した。その際、画像データＤの読み出し処理は、例えば図１１に示したようにオン電圧を印加する走査線５を１本ずつシフトしていくようにして各走査線５にオン電圧を順次印加して行われた。
【００４８】
それに対し、本実施形態に係る放射線画像撮影装置１では、画像データＤの読み出し処理の段階で、Ｎ本おきに走査線５に接続されている各放射線検出素子７から画像データＤを読み出すようになっている。
【００４９】
すなわち、本実施形態では、放射線画像撮影装置１の制御手段２２（図２参照）は、走査駆動手段１５と読み出し回路１７とを制御して、複数の放射線検出素子７が二次元状に配列された検出部Ｐのうち画像データＤを読み出す領域の一端側から他端側に向けて、Ｎ本おきに走査線５にオン電圧を順次印加して画像データＤを読み出す処理を行い、それを、オン電圧を印加する走査線５をずらしながら各巡目ごとに行うようにして、領域内の全ての放射線検出素子７からの画像データＤの読み出し処理を行わせるようになっている。
【００５０】
なお、検出部Ｐ内の全ての放射線検出素子７から画像データＤを読み出す場合には、上記の領域は検出部Ｐと同じ領域になり、また、検出部Ｐ内の一部の放射線検出素子７から画像データＤを読み出す場合には、上記の領域は、検出部Ｐ内に当該一部の放射線検出素子７が属する領域になる。なお、以下では、検出部Ｐ内の全ての放射線検出素子７から画像データＤを読み出すものとして説明する。
【００５１】
具体的には、例えば３本おきに走査線５に接続されている各放射線検出素子７から画像データＤを読み出すように構成されている場合、本実施形態では、例えば図６に示すように、画像データＤの読み出し処理の際に、制御手段２２は、基本的に、１巡目では走査線５のラインＬ１、Ｌ５、Ｌ９、…にオン電圧を順次印加し、２巡目では走査線５のラインＬ２、Ｌ６、Ｌ１０、…にオン電圧を順次印加し、３巡目では走査線５のラインＬ３、Ｌ７、Ｌ１１、…にオン電圧を順次印加し、４巡目では走査線５のラインＬ４、Ｌ８、Ｌ１２、…にオン電圧を順次印加させるようにして各放射線検出素子７から画像データＤを読み出すようになっている。なお、図６で斜線が付された走査線５のラインＬは、その巡目でオン電圧が印加されるラインＬを表す。
【００５２】
そして、このように構成すると、画像データＤが、各巡目で、Ｎ本の走査線５おきに読み出される状態になるため、各巡目でそれぞれ、図１２に示したようにして各画像データＤの中からＮ本おきに画像データＤが抽出された状態と同じ状態になる。そのため、いずれかの巡目で読み出した画像データＤをコンソール５８に転送するように構成すれば、図１２に示したように各画像データＤの中からプレビュー画像用の画像データＤpreを抽出してコンソール５８に転送するのと全く同じ状態を形成することができる。
【００５３】
そして、上記のように、図１２の場合は、各放射線検出素子７から読み出された画像データＤを一旦記憶手段２３に保存し、その後、画像データＤを抽出して読み出してプレビュー画像用の画像データＤpreとしてコンソール５８に転送したが、本実施形態の場合は、ある巡目で画像データＤを読み出すと同時にプレビュー画像用の画像データＤpreとしてコンソール５８に転送することができる（なお、読み出した画像データＤは記憶手段２３にも保存される。）。
【００５４】
そして、このように構成すれば、全ての放射線検出素子７からの画像データＤの読み出しが終わるのを待たずに、プレビュー画像用の画像データＤpreのコンソール５８への転送を行うことが可能となり、コンソール５８でより早期にプレビュー画像ｐpreを生成して、プレビュー画像ｐpreをより早期に表示させることが可能となる。
【００５５】
しかし、本実施形態のように非連携方式で撮影を行う場合、画像データＤの読み出し処理は、図６に示したように１巡目の読み出し処理が走査線５の最初のラインＬ１からオン電圧の印加が開始されて行われるケースがないわけではないが、通常の場合、図７に示すように、１巡目の読み出し処理では、図１１に示した場合と同様に走査線５の途中のラインＬｎからオン電圧の印加が開始されて行われる。
【００５６】
そのため、上記のようにＮ本の走査線５おきにオン電圧を印加して読み出した画像データＤを、１巡目から画像データＤをコンソール５８に転送してしまうと、図１３（Ａ）、（Ｂ）に示したようにコンソール５８上でプレビュー画像ｐpreのワイプ表示がプレビュー画像ｐpreの途中から始まってしまい、放射線技師等に違和感を与えてしまうことになる。
【００５７】
そこで、本実施形態では、制御手段２２は、上記のようにして行う画像データＤの読み出し処理において、各巡目で読み出される画像データＤのうち、巡目の最初にオン電圧が印加される走査線５が検出部Ｐの一端側（すなわち走査線５のラインＬ１側）の１本目（すなわち走査線５のラインＬ１）からＮ＋１本目のいずれかの走査線５（すなわち走査線５のラインＬN+1）である巡目で読み出された画像データＤを、プレビュー画像用の画像データＤpreとして読み出しと同時にコンソール５８に転送するようになっている。
【００５８】
すなわち、上記の例ではＮ＝３でありＮ＋１＝４であるから、各巡目で読み出される画像データＤのうち、巡目の最初にオン電圧が印加される走査線５がラインＬ１〜Ｌ４のいずれかの走査線５である巡目で読み出された画像データＤが、プレビュー画像用の画像データＤpreとして読み出しと同時にコンソール５８に転送される。
【００５９】
そして、制御手段２２は、図７に示したように、１巡目の読み出し処理で、走査線５の途中のラインＬｎ（ｎ＞Ｎ＋１）からオン電圧の印加が開始されて画像データＤの読み出し処理が行われた場合（すなわち上記の例で言えば画像データＤの読み出し処理で最初にオン電圧が印加された走査線５がラインＬ１〜Ｌ４のいずれの走査線５でもない場合）には、１巡目で読み出された画像データＤは、少なくともプレビュー画像用の画像データＤpreとしてはコンソール５８に転送しない。
【００６０】
そして、この場合、２巡目の読み出し処理では、画像データＤの読み出し処理で最初にオン電圧が印加される走査線５がラインＬ１〜Ｌ４のいずれの走査線５（図７では走査線５のラインＬ４である場合が示されている。）になるため、この場合は、制御手段２２は、２巡目で読み出された画像データＤをプレビュー画像用の画像データＤpreとして読み出しと同時にコンソール５８に転送する。
【００６１】
また、制御手段２２は、１巡目の読み出し処理で走査線５がラインＬ１〜Ｌ４のいずれの走査線５からオン電圧の印加が開始されて画像データＤの読み出し処理が行われた場合（例えば図６に示したような場合）には、１巡目で読み出された画像データＤをプレビュー画像用の画像データＤpreとして読み出しと同時にコンソール５８に転送するようになっている。
【００６２】
コンソール５８（図３〜図５参照）は、上記のようにして放射線画像撮影装置１からプレビュー画像用の画像データＤpreが転送されてくると、記憶手段５８ｃ等に予め保存されている当該放射線画像撮影装置１に関するオフセットデータｏを読み出して、放射線画像撮影装置１の放射線検出素子７ごとに、
Ｄ＊＝Ｄ−ｏ    …（１）
の演算を行って補正したプレビュー画像用の画像データＤpre＊を算出する。
【００６３】
そして、コンソール５８は、それらの補正したプレビュー画像用の画像データＤpre＊に簡易な画像補正を施してプレビュー画像ｐpreを生成し、プレビュー画像ｐpreを生成するごとに表示部５８ａ上にプレビュー画像ｐpreをワイプ表示するようになっている。その際、放射線画像撮影装置１から、上記のようにして読み出されたプレビュー画像用の画像データＤpreが順次転送され、コンソール５８で、プレビュー画像ｐpreを生成するごとに表示部５８ａ上にプレビュー画像ｐpreがワイプ表示される。
【００６４】
そのため、以上のように構成することで、図７に示したように、通常、走査線５の途中のラインＬｎからオン電圧の印加が開始されて画像データＤの読み出し処理が行われる非連携方式の場合でも、図１３（Ａ）、（Ｂ）に示したようにコンソール５８上でプレビュー画像ｐpreのワイプ表示がプレビュー画像ｐpreの途中から始まることはなく、図８（Ａ）、（Ｂ）に示すように、プレビュー画像ｐpreをその上端からワイプ表示することが可能となる。
【００６５】
［効果］
以上のように、本実施形態に係る放射線画像撮影装置１によれば、画像データＤの読み出し処理が走査線５の途中のラインＬｎから行われることが多い非連携方式の場合でも、コンソール５８上でプレビュー画像ｐpreを上端から的確にワイプ表示させることが可能となる。
【００６６】
そのため、放射線技師等に違和感を与えることなくプレビュー画像ｐpreをワイプ表示させることが可能となり、放射線技師等は、違和感なくプレビュー画像ｐpreを見て的確に再撮影の要否の判断処理を行うことが可能となる。
【００６７】
また、本実施形態に係る放射線画像撮影装置１によれば、従来のように全ての画像データＤを読み出した後、その中からプレビュー画像用の画像データＤpreを抽出するのではなく、上記のように、画像データＤ（すなわちプレビュー画像用の画像データＤpre）を読み出すと同時にコンソール５８に転送する（すなわちいわゆるストリーミング転送する）ため、従来の場合に比べて、プレビュー画像ｐpreをより早期にコンソール５８上に表示することが可能となる。
【００６８】
［撮影が連携方式で行われる場合］
なお、撮影が連携方式で行われる場合、放射線画像撮影装置１と放射線照射装置５２とが信号等をやり取りし同期を取りながら撮影が行われる。そのため、放射線画像撮影装置１における画像データＤの読み出し処理も、走査線５の途中のラインＬｎからオン電圧の印加を開始して行うようなことはせず、通常、走査線５の最初のラインＬ１からオン電圧の印加を開始して画像データＤの読み出し処理が行われる。
【００６９】
そのため、撮影が連携方式で行われる場合には、放射線画像撮影装置１の制御手段２２は、画像データＤの読み出し処理において１巡目（すなわち図６の１巡目参照）で読み出された画像データＤをプレビュー画像用の画像データＤpreとして読み出しと同時にコンソール５８に転送するように構成される。
【００７０】
このように構成すれば、画像データＤの読み出し処理が走査線５の最初のラインＬ１から行われる連携方式の場合において、図８（Ａ）、（Ｂ）に示したように、コンソール５８上でプレビュー画像ｐpreを上端から的確にワイプ表示させることが可能となる。そのため、放射線技師等に違和感を与えることなくプレビュー画像ｐpreをワイプ表示させることが可能となり、放射線技師等は、違和感なくプレビュー画像ｐpreを見て的確に再撮影の要否の判断処理を行うことが可能となる。
【００７１】
また、この場合も、従来のように全ての画像データＤを読み出した後（図１０参照）、その中からプレビュー画像用の画像データＤpreを抽出するのではなく、上記のように、画像データＤ（すなわちプレビュー画像用の画像データＤpre）を読み出すと同時にコンソール５８に転送する（すなわちいわゆるストリーミング転送する）ため、従来の場合に比べて、プレビュー画像ｐpreをより早期にコンソール５８上に表示することが可能となる。
【００７２】
［放射線画像撮影装置から補正したプレビュー画像用の画像データを転送することについて］
なお、上記の実施形態等では、コンソール５８が、転送されてきたプレビュー画像用の画像データＤpreを上記（１）式に従って補正する場合について説明したが、放射線画像撮影装置１からコンソール５８にプレビュー画像用の画像データＤpreを転送する際に、放射線画像撮影装置１で上記（１）式に従って放射線検出素子７ごとにプレビュー画像用の画像データＤpreをオフセットデータｏで補正し、補正したプレビュー画像用の画像データＤpre＊をコンソール５８に転送するように構成することも可能である。
【００７３】
このように構成すれば、コンソール５８は、補正したプレビュー画像用の画像データＤpre＊の算出処理を行わなくて済み、コンソール５８での処理が軽くなる。なお、この場合、放射線画像撮影装置１は予め放射線検出素子７ごとのオフセットデータｏを有しておくように構成される。
【００７４】
［複数の巡目で読み出された画像データＤをプレビュー画像用の画像データＤpreとすることについて］
また、上記の実施形態等では、１回の巡目で読み出した画像データＤ（すなわち非連携方式では２巡目または１巡目、連携方式では１巡目に読み出した画像データＤ）のみプレビュー画像用の画像データＤpreとしてコンソール５８に転送する場合について説明した。
【００７５】
しかし、放射線画像撮影装置１での画像データＤの読み出し処理において、例えば図９に示すように、２巡目の読み出し処理では、１巡目でオン電圧が印加された走査線５同士の中間付近の走査線５にオン電圧を印加して画像データＤを読み出すようにして、特殊なオン電圧の印加の仕方で画像データＤの読み出し処理が行われる場合もある。そして、このような場合には、１巡目で読み出された画像データＤのみを用いてプレビュー画像ｐpreを生成するとプレビュー画像ｐpreの画質が悪くなる等するため、２巡目で読み出された画像データＤも使ってプレビュー画像ｐpreを生成する方がよい場合もあり得る。
【００７６】
そのため、放射線画像撮影装置１の制御手段２２は、上記のように画像データＤをプレビュー画像用の画像データＤpreとして読み出しと同時に転送した巡目（すなわち非連携方式では２巡目または１巡目、連携方式では１巡目）に続く所定回数分の巡目で読み出された画像データＤも、プレビュー画像用の画像データＤpreとして読み出しと同時に転送するように構成することも可能である。
【００７７】
すなわち、例えば図９の場合には、１巡目で読み出された画像データＤだけでなく２巡目で読み出された画像データＤも、プレビュー画像用の画像データＤpreとして読み出しと同時に転送するように構成することも可能である。
【００７８】
このように構成すれば、プレビュー画像ｐpreの画質が適切な画質になる等して、放射線技師等がプレビュー画像ｐpreを見て再撮影の要否等を的確に判断することが可能となる。
【００７９】
［プレビュー画像用の画像データＤpre以外の画像データＤの転送等について］
なお、上記の非連携方式の場合のように、例えば、制御手段２２が、２巡目で読み出された画像データＤをプレビュー画像用の画像データＤpreとして読み出しと同時に転送する場合には、１巡目で読み出された画像データＤを一旦記憶手段２３に保存しておき、プレビュー画像用の画像データＤpreを転送した後で、他の画像データＤ（すなわち３巡目以降に読み出された画像データＤ等）とともにコンソール５８に転送するように構成することが可能である。
【００８０】
そして、コンソール５８は、上記のようにしてプレビュー画像ｐpreを表示すると、プレビュー画像用の画像データＤpreとそれ以外の画像データＤに対してゲイン補正やオフセット補正、撮影部位に応じた階調処理等の精緻な画像処理を行って放射線画像を生成する。なお、生成された放射線画像に対しては確定処理等の処理が行われるが、公知の内容であるため説明を省略する。
【００８１】
［コンソールがプレビュー画像用の画像データＤpreを選択することについて］
ところで、上記の実施形態等では、放射線画像撮影装置１の制御手段２２が、各巡目で読み出した画像データＤのうち、いずれの巡目で読み出した画像データＤをプレビュー画像用の画像データＤpreとするかを選択して読み出しと同時にコンソール５８に転送する場合について説明した。
【００８２】
しかし、放射線画像撮影装置１では、各巡目で読み出した画像データＤをそのまま読み出しと同時にコンソール５８に転送するように構成し、コンソール５８が、転送されてきた画像データＤの中からプレビュー画像用の画像データＤpreを選択するように放射線画像撮影システム１００を構成することも可能である。
【００８３】
その際、コンソール５８で、放射線画像撮影装置１から転送されてきた画像データＤの中からその巡目で読み出した画像データＤをプレビュー画像用の画像データＤpreとするかを選択する方法は、上記のように放射線画像撮影装置１の制御手段２２が、各巡目で読み出した画像データＤの中からプレビュー画像用の画像データＤpreを選択する方法と全く同じように構成することが可能である。
【００８４】
しかし、その場合、コンソール５８は、放射線画像撮影装置１における１巡目の読み出し処理で、走査線５のどのラインＬから読み出し処理が開始されたかの情報を有していないため、画像データＤの転送と同時にその情報を放射線画像撮影装置１から送信させるように構成される。
【００８５】
そして、コンソール５８は、選択したプレビュー画像用の画像データＤpreに基づいて上記のようにしてプレビュー画像ｐpreを生成し、表示部５８ａ上に表示させる。その際、図８（Ａ）、（Ｂ）に示したように、プレビュー画像ｐpreをその上端からワイプ表示することが可能となる。
【００８６】
そのため、放射線技師等に違和感を与えることなくプレビュー画像ｐpreをワイプ表示させることが可能となり、放射線技師等は、違和感なくプレビュー画像ｐpreを見て的確に再撮影の要否の判断処理を行うことが可能となる。また、放射線画像撮影装置１からプレビュー画像用の画像データＤpreが転送されると同時にプレビュー画像ｐpreを生成することが可能となるため、従来の場合に比べて、プレビュー画像ｐpreをより早期にコンソール５８上に表示することが可能となる。
【００８７】
なお、この場合、コンソール５８は、プレビュー画像用の画像データＤpre以外の残りの画像データＤは一旦記憶手段５８ｃに記憶させておく。そして、上記のようにしてプレビュー画像ｐpreを生成して表示すると、残りの画像データＤを記憶手段５８ｃから読み出して、プレビュー画像用の画像データＤpreと残りの画像データＤに対してゲイン補正やオフセット補正、撮影部位に応じた階調処理等の精緻な画像処理を行って放射線画像を生成するように構成される。
【００８８】
また、本発明が上記の実施形態等に限定されず、本発明の趣旨を逸脱しない限り、適宜変更可能であることは言うまでもない。
【符号の説明】
【００８９】
１  放射線画像撮影装置
５、Ｌ１〜Ｌｘ、Ｌｎ  走査線
６  信号線
７  放射線検出素子
８  ＴＦＴ（スイッチ素子）
１５  走査駆動手段
２２  制御手段
２３  記憶手段
３０  通信部（通信手段）
５２  放射線照射装置
５８  コンソール
１００  放射線画像撮影システム
Ｄ  画像データ
Ｄpre  プレビュー画像用の画像データ
ｏ  オフセットデータ
Ｐ  検出部
ｐpre  プレビュー画像
【図１】
2017217171.tif 000003
【図２】
2017217171.tif 000004
【図３】
2017217171.tif 000005
【図４】
2017217171.tif 000006
【図５】
2017217171.tif 000007
【図６】
2017217171.tif 000008
【図７】
2017217171.tif 000009
【図８】
2017217171.tif 000010
【図９】
2017217171.tif 000011
【図１０】
2017217171.tif 000012
【図１１】
2017217171.tif 000013
【図１２】
2017217171.tif 000014
【図１３】
2017217171.tif 000015